(57)【特許請求の範囲】
【請求項１】
拡幅機をその側面の張り出し・回転用カッタにより地山を掘削して、シールド掘進機の胴部から張り出して反転させた後、その前面の掘進用カッタにより拡幅部の外周をシールド掘進機の掘進と同時にスリット掘削し、そこにプレライニングを施工することを特徴とするトンネル拡幅工法。
【請求項２】
拡幅機前面の掘進用カッタにより円弧状にスリット掘削し、断面円弧状のプレライニングを施工することを特徴とする請求項１に記載のトンネル拡幅工法。
【請求項３】
張り出し・回転用カッタにより地山を掘削して拡幅機を反転させながらシールド掘進機の胴部内に回収することを特徴とする請求項１又は２に記載のトンネル拡幅工法。
【請求項４】
シールド掘進機の胴部から出入することができる拡幅機をシールド掘進機に対して回転可能とするとともに、この拡幅機の側面に張り出し・回転用カッタ、前面に、拡幅部の外周をスリット状に掘削するための掘進用カッタを設けたことを特徴とするトンネル拡幅装置。
【請求項５】
拡幅機をＤ形として、Ｄ形の直線部分の側面に張り出し・回転用カッタ、Ｄ形の円弧部分の前面に掘進用カッタを設けたことを特徴とする請求項４に記載のトンネル拡幅装置。
【発明の詳細な説明】
【技術分野】
【０００１】
本発明は、シールドトンネル工法において、非常駐車帯などの部分的な拡幅箇所を施工するトンネル拡幅工法及びトンネル拡幅装置に関する。
【背景技術】
【０００２】
従来技術として、特許文献１（特開２００５−６０９８９号公報）、特許文献２（特開２００４−３１６４０７号公報）、特許文献３（特開２００４−２７０２２６号公報）、特許文献４（特開２００２−７０４８４号公報）にそれぞれ次のような技術が開示されている。
【０００３】
＜特許文献１＞
シールド掘進機のスキンプレートの側方部に側壁カッタヘッドを配し、側壁カッタヘッドをシールド掘進機の掘進方向とは略直角方向に往復動可能に配置する。側壁カッタヘッドを通常はスキンプレート内に収納し、側壁カッタヘッドが拡幅開始位置に到達したときには、シールド掘削機の掘進を停止して、側壁カッタヘッドをスキンプレートから突出させて側壁部に穴を掘削する。穴の掘削終了後は、シールド掘削機を所定量掘進させて掘進を停止させ、再び同位置において穴の掘削を行う。これを繰り返すことで拡幅溝の掘削を行う。
【０００４】
＜特許文献２＞
メイントンネルのための通常のセグメントを組み立てるメインセグメント組立装置を備えたメインシールドと、断面三日月形状の筒体である拡幅セグメントを組み立てる拡幅部材組立装置を備えた拡幅シールドとを備え、拡幅シールドは、メインシールドの径方向内側に位置する非作動位置と、一部がメインシールドよりも径方向外側に位置する作動位置との間を移動できるように、メインシールドに対して径方向に往復移動可能に設けられている。拡幅シールドの前面には、拡幅カッタが装着され、拡幅シールドをメインシールドの径方向外側に突出させた状態で拡幅カッタにて拡幅部を掘削する。
また、特許文献２には、拡幅カッタを球状の揺動体にてメインシールドに対し揺動可能とした例も開示されている。
【０００５】
＜特許文献３＞
シールド掘削機の外殻に、その開口部をヒンジ結合により開閉するように羽根部を装着し、この羽根部の外表面に排土手段を設け、拡幅を行うときには、周辺土砂を軟化してから羽根部を開いた状態とし、揺動式カッタで拡幅部を掘削しながら、羽根部の外表面の排土手段で掘削土砂を排出する。
【０００６】
＜特許文献４＞
シールド掘削機のシールド本体が、主カッタヘッドを前面に有する固定胴と可動内筒とからなり、可動内筒は、固定胴の側部に平行移動するように配置された拡幅内胴と、この拡幅内胴の外周において揺動可能な揺動外胴とで構成される。シールド本体の前部に装着された主カッタヘッドに切欠き部が形成されており、この切欠き部から、主カッタヘッドより小さい副カッタヘッドが主カッタヘッドによる掘削部外周側に突出できるように揺動アームで揺動するようになっている。そして、この副カッタヘッドで拡幅部を掘削し、拡幅内胴を拡幅方向へ移動させてシールド本体自体も拡幅させる。
【０００７】
しかし、これらいずれの場合も、拡幅を行う拡幅機の構造が複雑で、高価になるとともに、拡幅部の施工作業性が悪く、また拡幅部のセグメントが重構造となる。
【特許文献１】特開２００５−６０９８９号公報
【特許文献２】特開２００４−３１６４０７号公報
【特許文献３】特開２００４−２７０２２６号公報
【特許文献４】特開２００２−７０４８４号公報
【発明の開示】
【発明が解決しようとする課題】
【０００８】
本発明の課題は、拡幅機を簡素な構造にできるとともに、拡幅の施工作業性が良く、工期の短縮及び工費の節減が図れ、しかも大断面の拡幅が可能で、躯体構造の自由度及び安定性が高く、セグメントの軽構造化も図れるトンネル拡幅工法及びトンネル拡幅装置を提供することにある。
【課題を解決するための手段】
【０００９】
本発明のトンネル拡幅工法は、拡幅機をその側面の張り出し・回転用カッタにより地山を掘削して、シールド掘進機の胴部から張り出して反転させた後、その前面の掘進用カッタにより拡幅部の外周をシールド掘進機の掘進と同時にスリット状に掘削し、そこにプレライニングを施工する。
【００１０】
拡幅機前面の掘進用カッタにより円弧状にスリット掘削すると、断面円弧状のプレライニングを施工することができる。
【００１１】
プレライニング施工後、拡幅機は、張り出し・回転用カッタにより地山を掘削して反転させながらシールド掘進機の胴部内に回収する。
【００１２】
本発明のトンネル拡幅装置は、シールド掘進機の胴部から出入することができる拡幅機をシールド掘進機に対して回転可能とするとともに、この拡幅機の側面に張り出し・回転用カッタ、前面に、拡幅部の外周をスリット状に掘削するための掘進用カッタを設けたことを特徴とする。
【００１３】
拡幅機の構造としては、Ｄ形として、Ｄ形の直線部分の側面に張り出し・回転用カッタ、Ｄ形の円弧部分の前面に掘進用カッタを設けるのが良い。
【発明の効果】
【００１４】
本発明によれば、拡幅機をその側面の張り出し・回転用カッタにより地山を掘削して、シールド掘進機の胴部から張り出し、反転させることで拡幅部の断面に適合させ、シールド掘進機の掘進と同時に拡幅機前面の掘進用カッタにてスリット状に掘削し、そこにプレライニングを施工するので、シールド掘進と同時に拡幅部のための先受け工を施工でき、工期短縮が図れる。
【００１５】
拡幅機は、側面に張り出し・回転用カッタ、前面に掘進用カッタを備えていて、シールド掘進機に対して回転可能であればよく、単純な構造であるので、安価となる。
【００１６】
拡幅機をシールド掘進機の胴部内に回収するので、一路線に数箇所の非常駐車帯を施工する場合も、工費を低く抑えることができる。
【００１７】
拡幅機でスリット状に掘削し、そこにプレライニングを施工することで拡幅部のための先受け工を施工するので、大断面の拡幅が可能で、躯体構造の自由度及び安定性が高く、セグメントの軽構造化も図れる。
【発明を実施するための最良の形態】
【００１８】
次に、本発明の実施例を図面に基づいて詳細に説明する。
【実施例】
【００１９】
図１に示すように、シールド掘進機１は、その本体胴部２内に収納できる拡幅機３を備えている。この拡幅機３は、本体胴部２の側面から張り出すことができるように、シールド掘進機１に対しその半径線に沿って平行移動可能となっているとともに、シールド掘進機１に対して回転可能にもなっている。拡幅機３が平行移動すると、拡幅機３の回転の軸心Ｏもシールド掘進機１の半径線上を移動する。
【００２０】
拡幅機３はＤ形で、中空断面となっており、そのＤ形の直線部分３ａの内外両側面に内外の張り出し・回転用カッタ４・５を装着しているとともに、Ｄ形の円弧部分３ｂの前面に掘進用カッタ６を装着している。また、円弧部分３ｂの上下の外側面端部には、回転用補助カッタ７・８が装着されている。
【００２１】
このような拡幅機３を具備したシールド掘進機１による拡幅部の施工手順を説明すると、次のとおりである。
【００２２】
図１（Ａ）に示すように、拡幅機３の外側の張り出し・回転用カッタ５にて地山を掘削しながら、拡幅機３をシールド掘進機１に対して外側へ平行移動させてその本体胴部２から張り出せる。その後、内外の張り出し・回転用カッタ４・５及び回転用補助カッタ７・８にて掘削しながら、同図（Ｂ）に示すように、移動した軸心Ｏを中心に拡幅機３を反転させて、Ｄ形の円弧部分３ｂをシールド掘進機１の外側へ向ける。
【００２３】
次に、シールド掘進機１の掘進に合わせて拡幅機３を同時に掘進させるため、図２に示すように、拡幅機３の前面の掘進用カッタ６で地山をＣ形のスリット状に掘削しながら、そこにプレライニングを施工する。施工された断面Ｃ形のプレライニングが拡幅部の先受け工となる。
【００２４】
プレライニングの施工法としては、掘進用カッタ６でＣ形のスリット状に掘削しながら、図４に示すように拡幅機３の後方にコンクリートを打設して、コンクリートによるプレライニング９とする方法や、Ｃ形のスリット状に掘削しながら、図５に示すようにシールド掘進機１の本体胴部２内から拡幅機３の後方にセグメントを送り出して、セグメントによるプレライニング１０とする方法がある。
【００２５】
プレライニング完了後、図３（Ａ）に示すように、内外の張り出し・回転用カッタ４・５及び回転用補助カッタ７・８にて掘削しながら回転させ、同図（Ｂ）に示すように、拡幅機３を元の姿勢に戻してから、同図（Ｃ）に示すように、シールド掘進機１に対して内側に平行移動させてその本体胴部２内に回収する。
【００２６】
図６はプレライニング完了後、その内側を掘削し、セグメントによる道路トンネル１１の拡幅部となる非常駐車帯用の躯体１２を構築した例である。
【００２７】
張り出し・回転用カッタ４・５及び回転用補助カッタ７・８としては次のような形態がある。
＜回転型＞
図７に示すように、円形の回転カッタ１３を複数配置してその回転により掘削し、これより小さい円形の補助カッタ１４を併用して円形の回転カッタ９の切り残し部分を補う。拡幅機３の回転時には、回転用補助カッタ７・８も使用する。
【００２８】
＜揺動型＞
図８に示すように、張り出し・回転用カッタ４・５及び回転用補助カッタ７・８として揺動式カッタ１５を用い、これを左右又は上下に揺動させて掘削する。この場合も、拡幅機３の回転時には、回転用補助カッタ７・８も使用する。
【００２９】
＜ローラ型＞
図９に示すように、張り出し・回転用カッタ４・５及び回転用補助カッタ７・８としてローラカッタ群によるローラ式カッタ１６を用い、ローラカッタ群を同時に回転させて掘削する。この場合も、拡幅機３の回転時には、回転用補助カッタ７・８も使用する。
【００３０】
＜回転用補助カッタ省略型＞
図１０に示すように、拡幅機３の角部外面を円弧面として、直線部分３ａの外面の張り出し・回転用カッタ（揺動式）５を円弧部分３ｂの上下の外側面端部まで延ばす。ただし、張り出し時には、張り出し・回転用カッタ５による切り残し箇所を掘削するため、補助的なカッタや貫入型のビットを用いる。
【００３１】
また、掘進用カッタ６としては、図１１に示すように、拡幅機３のＤ形の円弧部分の前面にローラカッタ群６ａを配置し、本体胴部２内に設けたカッタ用モータ１７で回転させる。
【図面の簡単な説明】
【００３２】
【図１】本発明によるトンネル拡幅工法の施工手順を示す簡略断面図で、（Ａ）は拡幅機をシールド掘進機の本体胴部から張り出す状態、（Ｂ）は張り出し後に反転させる状態を示す。
【図２】シールド掘進機と同時に拡幅機を掘進させて拡幅用の先受け工となるプレライニングを施工する状態を示す簡略断面図である。
【図３】プレライニング完了後、拡幅機をシールド掘進機の本体胴部内に回収する手順を示す簡略断面図で、（Ａ）は掘削しながら拡幅機を回転させる状態、（Ｂ）は拡幅機を元の姿勢に戻す状態、（Ｃ）は拡幅機をシールド掘進機の本体胴部内へ移動させる状態を示す。
【図４】コンクリートによるプレライニングを施工例を示す簡略平面図である。
【図５】セグメントによるプレライニングを施工例を示す簡略平面図である。
【図６】拡幅部となる非常駐車帯用の躯体を構築した例を示す簡略断面図である。
【図７】張り出し・回転用カッタ及び回転用補助カッタを円形の回転カッタで構成した例を示し、（Ａ）は簡略断面図、（Ｂ）は簡略側面図である。
【図８】張り出し・回転用カッタ及び回転用補助カッタを揺動式カッタで構成した例を示し、（Ａ）は簡略断面図、（Ｂ）は簡略側面図である。
【図９】張り出し・回転用カッタ及び回転用補助カッタをローラ式カッタで構成した例を示し、（Ａ）は簡略断面図、（Ｂ）は簡略側面図である。
【図１０】張り出し・回転用カッタを延ばして回転用補助カッタを省略した例を示し、（Ａ）は簡略断面図、（Ｂ）は簡略側面図である。
【図１１】掘進用カッタをローラカッタ群で構成した例を示す簡略断面図である。
【符号の説明】
【００３３】
１  シールド掘進機
２  本体胴部
３  拡幅機
３ａ  直線部分
３ｂ  円弧部分
４・５  張り出し・回転用カッタ
６  掘進用カッタ
６ａ  ローラカッタ群
７・８  回転用補助カッタ
９  コンクリートによるプレライニング
１０  セグメントによるプレライニング
１１  道路トンネル
１２  非常駐車帯用の躯体
１３  回転カッタ
１４  補助カッタ
１５  揺動式カッタ
１６  ローラ式カッタ
１７  カッタ用モータ
【図１】
0004669952.tif 000002
【図２】
0004669952.tif 000003
【図３】
0004669952.tif 000004
【図４】
0004669952.tif 000005
【図５】
0004669952.tif 000006
【図６】
0004669952.tif 000007
【図７】
0004669952.tif 000008
【図８】
0004669952.tif 000009
【図９】
0004669952.tif 000010
【図１０】
0004669952.tif 000011
【図１１】
0004669952.tif 000012